(57)【要約】      （修正有）【課題】フィーダが安定するように微量で精密に供給でき、微量計量精度を向上させるフィーダを提供する。【解決方法】主駆動装置１に固定される主供給トレイ２を含み、該主供給トレイ２の入り口は貯蔵ホッパー又は上流のフィーダに接続される微量で精密に供給できるフィーダであって、該主供給トレイ２の出口端は接続部材５によって可撓性材料で製造された補助供給トレイ４の入り口端に接続され、該補助供給トレイ４の下方又は両側に補助駆動装置３が取付され、該補助駆動装置３は１つ以上の振動モータからなり、該補助供給トレイ４の出口端は計量ホッパーに接続される。【選択図】図１
0003202399.tif 000002
【実用新案登録請求の範囲】
【請求項１】
主駆動装置（１）に固定される主供給トレイ（２）を含み、該主供給トレイ（２）の入り口は貯蔵ホッパー又は上流のフィーダに接続される微量で精密に供給できるフィーダであって、該主供給トレイ（２）の出口端は接続部材（５）によって可撓性材料で製造された補助供給トレイ（４）の入り口端に接続され、該補助供給トレイ（４）の下方又は両側に補助駆動装置（３）が取付され、該補助駆動装置（３）は１グループの振動モータからなり、該補助供給トレイ（４）の出口端は計量ホッパーに接続されることを特徴とする微量で精密に供給できるフィーダ。
【請求項２】
該補助供給トレイ（４）の断面はＶ型又はＵ型を呈することを特徴とする請求項１に記載の微量で精密に供給できるフィーダ。
【請求項３】
該補助駆動装置（３）の振動モータは材料の移動方向に従って一定の間隔で１列又は複数列に配列され、各振動モータの起動および停止を単独に制御することを特徴とする請求項１又は２に記載の微量で精密に供給できるフィーダ。
【請求項４】
該補助駆動装置（３）の振動モータの数は１つ以上であることを特徴とする請求項１又は２に記載の微量で精密に供給できるフィーダ。
【請求項５】
該補助振動板（４）は主供給トレイ（２）に前後に線形接続されることを特徴とする請求項１又は２に記載の微量で精密に供給できるフィーダ。
【考案の詳細な説明】
【技術分野】
【０００１】
本実用新案は計量包装分野における供給装置に関し、特に微量で精密に供給できるフィーダに関する。
【背景技術】
【０００２】
従来、計量包装分野において包装重量が比較的軽い製品（例えば、ティーバッグの計量個装）に対して、このような製品包装の重量が比較的軽く、一般的に各バッグの重量が数グラムだけであるため、従来の供給装置（例えば、振動供給又はチューブ回転供給）は少量で供給する場合に、材料の流れを非常によく制御して、材料を１列に配列させ、安定するように微量で精密に供給できず、計量精度は基本的に０．３グラム程度であり、且つ非常に安定的ではなく、制御できないことにより過量もしくは軽量となる。
【考案の概要】
【考案が解決しようとする課題】
【０００３】
本実用新案は、従来技術に存在している技術的問題を主に解決し、特にゆっくり供給する時に微量計量する場合に、フィーダは安定するように微量で精密に供給でき、微量計量精度を向上させる微量で精密に供給できるフィーダを提供することを目的とする。
【課題を解決するための手段】
【０００４】
以上の技術的問題を解決するために、本実用新案は以下のように達成する。
【０００５】
主駆動装置に固定される主供給トレイを含み、該主供給トレイの入り口は貯蔵ホッパー又は上流のフィーダに接続される微量で精密に供給できるフィーダであって、該主供給トレイの出口端は接続部材によって可撓性材料で製造された補助供給トレイの入り口端に接続され、該補助供給トレイの下方又は両側に補助駆動装置が取付され、該補助駆動装置は１グループ（１つ以上）の振動モータからなり、該補助供給トレイの出口端は計量ホッパーに接続されることを特徴とする。
【０００６】
前記微量で精密に供給できるフィーダは、該補助供給トレイの断面はＶ型又はＵ型を呈することを特徴とする。
【０００７】
前記微量で精密に供給できるフィーダは、該補助駆動装置の振動モータは材料の移動方向に従って一定の間隔で１列又は複数列に配列され、各振動モータの起動および停止を単独に制御することを特徴とする。
【０００８】
前記微量で精密に供給できるフィーダは、該補助駆動装置の振動モータの数は１つ以上であることを特徴とする。
【０００９】
前記微量で精密に供給できるフィーダは、該補助振動板は主供給トレイに前後に線形接続されることを特徴とする。
【００１０】
本実用新案における１つのフィーダに急速供給と微量精密供給を完成する設計は、構造が簡単で、供給が安定し、急速供給の速度が速く、ゆっくり供給し及び供給することが精密であるというなどの特徴を有し、主駆動装置、補助駆動装置という２つの駆動装置の動作を調整することによって、様々な微量計量包装の供給、例えばティーバッグ、菜種、花の種、おやつ、インスタント製品などに適用でき、その供給精度は０．１グラムに達することができる。
【図面の簡単な説明】
【００１１】
【図１】図１は本実用新案の構造模式図である。
【図２】図２は図１におけるＡ部の局部拡大図である。
【考案を実施するための形態】
【００１２】
図１、２を参照して、本実用新案における微量で精密に供給できるフィーダである。図に示すように、主駆動装置１に固定される主供給トレイ２を含み、該主供給トレイ２の入り口は貯蔵ホッパー又は上流のフィーダに接続され、該主供給トレイ２の出口端は接続部材５によって可撓性材料で製造された補助供給トレイ４の入り口端に接続され、該補助供給トレイ４の下方又は両側に補助駆動装置３が取付され、該補助駆動装置３は１グループ（１つ以上）の振動モータからなり、該補助供給トレイ４の出口端は計量ホッパーに接続される。
【００１３】
本実用新案において、該主供給トレイ２は主に剛性材料、例えば金属材料で製造される。
【００１４】
本実用新案において、該補助供給トレイ４は主に可撓性材料、例えばゴム材料で製造される。
【００１５】
本実用新案において、該補助供給トレイ４の断面はＶ型又がＵ型を呈するため、その可撓性材料の構造と組み合わせ、材料をＶ型又はＵ型の補助供給トレイ４の底部に狭い１列に配列させて前へ進むことができる。
【００１６】
本実用新案において、該補助駆動装置３の振動モータは材料の移動方向に従って一定の間隔で１列又は複数列に配列され、各振動モータの起動および停止を単独に制御する。作動時に振動強度への実際の材料の様々な要件に基づいて、適切な位置及び適切な数量の振動モータを選択して作業することによって、最適な振動供給効果を得て、あらゆる材料を精密に供給できることを達成する。
【００１７】
本実用新案において、振動モータはボタン式又は円柱式を選択でき、特別な接着剤で補助供給トレイ４の裏面に直接貼り付けられることができ、特別な取付部材を製造して固定させてもよい。該振動モータは携帯電話用マイクロ振動モータと同様なマイクロ振動モータを採用できる。
【００１８】
本実用新案の作動過程は、作動し始める際に、主駆動装置１は主供給トレイ２が振動するように高速に駆動し、貯蔵ホッパーにおける材料は主供給トレイ２と補助供給トレイ４を通して迅速に計量ホッパーに入る。一定の重量に達した場合、主駆動装置１は低速に切り替えられ、補助供給トレイ４に供給すると同時に、補助駆動装置３は作動し始め、補助供給トレイ４を振動させ、補助供給トレイ４における材料を狭い１列に配列させるように前へ進み、所定の目標重量に達するまで材料が順次に計量ホッパーに落ち、補助駆動装置３と主駆動装置１は動作を停止する。
【００１９】
以上のように、本実用新案の好ましい実施例であるに過ぎず、本実用新案の実施範囲を限定することを意図するものではない。即ち本実用新案の実用新案登録請求の範囲の内容によって行われた等価変化及び修正は、いずれも本実用新案の技術範囲に含まれるべきである。
【符号の説明】
【００２０】
１    主駆動装置、
２    主供給トレイ、
３    補助駆動装置、
４    補助供給トレイ、
５    接続部材。
【図１】
0003202399.tif 000003
【図２】
0003202399.tif 000004
【手続補正書】
【提出日】平成27年11月13日(2015.11.13)
【手続補正１】
【補正対象書類名】明細書
【補正対象項目名】０００９
【補正方法】変更
【補正の内容】
【０００９】
前記微量で精密に供給できるフィーダは、該補助供給トレイは主供給トレイに前後に線形接続されることを特徴とする。
【手続補正２】
【補正対象書類名】実用新案登録請求の範囲
【補正対象項目名】請求項５
【補正方法】変更
【補正の内容】
【請求項５】
該補助供給トレイ（４）は主供給トレイ（２）に前後に線形接続されることを特徴とする請求項１又は２に記載の微量で精密に供給できるフィーダ。